(57)【特許請求の範囲】
【請求項１】
縦桟および横桟によって矩形に枠組みされた木製下地枠の各区画内に断熱材が詰め込まれ、片面に防水防湿シートが貼着された断熱内壁下地パネルと、鉄骨梁の中心と一致する標準位置から室外側または室内側に一定距離移動させた位置にそれぞれランナーを固定することができる長さとなされ、一端縁に係合片が形成されるとともに、他端縁に係止片が形成されてなるランナー固定金具と、断熱内壁下地パネルの上端部を差し込むことができる断面略コ字状に形成されたランナーと、水平部の一端に上方に向けて折曲された垂直部が形成され、他端には係止片が延設された固定金具と、鉄骨柱に合わせて前記断熱内壁下地パネルがＬ字状あるいはコ字状に組み立てられた柱用断熱内壁下地パネルと、からなり、柱用断熱内壁下地パネルが、室内側に露出する鉄骨柱の表面の二面または三面に沿って装着され、ランナー固定金具の係合片が鉄骨梁の下フランジの外壁側端縁に係合されるとともに、このランナー固定金具の係止片が鉄骨梁の下フランジの室内側端縁に折り返されて係止され、鉄骨梁の下方フランジに間隔をおいて複数個のランナー固定金具が取り付けられ、これらのランナー固定金具にわたって、鉄骨梁の中心と一致した標準位置あるいはこの標準位置から室外側または室内側に一定距離移動させた位置にランナーが固定され、このランナーの固定位置に合わせて床材および柱用断熱内壁下地パネルに間隔をおいて複数個の固定金具が固定され、断熱内壁下地パネルの上端部がランナーに差し込まれるとともに、下端部背面もしくは下端部背面とともに側端部背面が固定金具の垂直部に当接された状態で固定金具の係止片が折り返されてこの係止片と断熱内壁下地パネルとが固定されたことを特徴とする断熱内壁下地構造。
【請求項２】
室内側に露出する鉄骨柱の表面に柱用断熱内壁下地パネルを装着した後、鉄骨梁の下方フランジに、鉄骨梁の中心と一致する標準位置から室外側または室内側に一定距離移動させた位置にそれぞれランナーを固定することができる長さとなされたランナー固定金具を、間隔をおいて複数個取り付け、これらのランナー固定金具にわたって、鉄骨梁の中心と一致した標準位置あるいはこの標準位置から室外側または室内側に一定距離移動させた位置にランナーを固定する一方、水平部の一端に上方に向けて折曲された垂直部が形成され、他端には係止片が延設された固定金具を、ランナーの固定位置に合わせて床下地材および柱用断熱内壁下地パネルにそれぞれ間隔をおいて複数個固定し、ランナーに断熱内壁下地パネルの上端部を差し込んでその下端部背面もしくは下端部背面および側端部背面を固定金具の垂直部に当接させ、固定金具の係止片を折り返して断熱内壁下地パネルに固定することを特徴とする断熱内壁下地の施工方法。
【発明の詳細な説明】
【０００１】
【発明の属する技術分野】
本発明は、断熱内壁下地構造およびその施工方法に関するものである。
【０００２】
【従来の技術】
従来、鉄骨構造の建物において、外壁がカーテンウォール構造を採用する場合、特開平８−１３６５４号公報に記載されるように、内壁の施工に際して、縦桟および横桟によって矩形に枠組みされた木製枠材の各区画された枠内部に断熱材を詰め込むとともに、その片面に防水防湿シートを貼着してなる断熱内壁下地パネルを外壁から離隔して床材に立設することにより、断熱内壁下地を形成することが提案されている。
【０００３】
この断熱内壁下地は、断熱内壁下地パネルの上端部に金具本体を固定する一方、床材に鉄骨梁に合わせてランナーを固定し、断熱内壁下地パネルの下端部をランナーに差し込むとともに、金具本体を鉄骨梁の下フランジの室内側端縁に当接させ、固定部材を金具本体を通して鉄骨梁の下フランジの室内側端縁部に噛み込ませて固定することにより形成されるものである。この結果、室内空間の断熱性を高めると同時に、外壁裏面と断熱材との間に通風空間を確保して内部結露の発生を防止するようにしている。
【０００４】
【発明が解決しようとする課題】
しかしながら、前述した断熱内壁下地を形成する場合、断熱内壁下地パネルの立設位置は、鉄骨梁に合わせて床材に固定されたランナーおよび鉄骨梁の下フランジの室内側端縁に当接する金具本体によって自動的に決定されることから、断熱内壁下地パネルを外壁により近づけて、あるいは、外壁からより離して立設するためには、外壁に対する断熱内壁下地パネルの立設位置に合わせて大きさの異なる複数種類の金具本体が必要になるものである。したがって、大きさが同じ単一の金具本体を使用かぎり、室内空間をより広く確保しようとする場合や、和室に障子を設ける場合、あるいは、柱との関係などにより、外壁からの距離を変えて断熱内壁下地パネルを立設することは不可能である。
【０００５】
また、断熱内壁下地パネルは、前述したように、鉄骨梁を基準として位置決めされることから、その立設位置は鉄骨梁の製造上の誤差に影響されることになる。この結果、断熱内壁下地パネルの立設位置に誤差が発生することがあり、その場合には、断熱内壁下地パネルの調整作業が必要になるものである。
【０００６】
さらに、鉄骨柱は、通常、出隅部においては隣接する二面が、また、一般部においては隣接する三面が、さらには、入り隅部や中柱においては四面全てが室内側に露出することになるが、このように室内側に露出する少なくとも二面については、単に内壁パネルを取り付けるのみで対応していた。このため、鉄骨柱を通して熱損失が発生するという問題もあった。
【０００７】
本発明は、このような問題点に鑑みてなされたもので、鉄骨柱からの熱損失を防止するとともに、断熱内壁下地パネルを部品点数を増やすことなく標準位置もしくは標準位置以外の他の位置に高精度に位置決めして建て込むことのできる断熱内壁下地構造およびその施工方法を提供するものである。
【０００８】
【課題を解決するための手段】
本発明の断熱内壁下地構造は、縦桟および横桟によって矩形に枠組みされた木製下地枠の各区画内に断熱材が詰め込まれ、片面に防水防湿シートが貼着された断熱内壁下地パネルと、鉄骨梁の中心と一致する標準位置から室外側または室内側に一定距離移動させた位置にそれぞれランナーを固定することができる長さとなされ、一端縁に係合片が形成されるとともに、他端縁に係止片が形成されてなるランナー固定金具と、断熱内壁下地パネルの上端部を差し込むことができる断面略コ字状に形成されたランナーと、水平部の一端に上方に向けて折曲された垂直部が形成され、他端には係止片が延設された固定金具と、鉄骨柱に合わせて前記断熱内壁下地パネルがＬ字状あるいはコ字状に組み立てられた柱用断熱内壁下地パネルと、からなり、柱用断熱内壁下地パネルが、室内側に露出する鉄骨柱の表面の二面または三面に沿って装着され、ランナー固定金具の係合片が鉄骨梁の下フランジの外壁側端縁に係合されるとともに、このランナー固定金具の係止片が鉄骨梁の下フランジの室内側端縁に折り返されて係止され、鉄骨梁の下方フランジに間隔をおいて複数個のランナー固定金具が取り付けられ、これらのランナー固定金具にわたって、鉄骨梁の中心と一致した標準位置あるいはこの標準位置から室外側または室内側に一定距離移動させた位置にランナーが固定され、このランナーの固定位置に合わせて床材および柱用断熱内壁下地パネルに間隔をおいて複数個の固定金具が固定され、断熱内壁下地パネルの上端部がランナーに差し込まれるとともに、下端部背面もしくは下端部背面とともに側端部背面が固定金具の垂直部に当接された状態で固定金具の係止片が折り返されてこの係止片と断熱内壁下地パネルとが固定されたことを特徴とするものである。
【０００９】
また、本発明の断熱内壁下地の施工方法は、室内側に露出する鉄骨柱の表面に柱用断熱内壁下地パネルを装着した後、鉄骨梁の下方フランジに、鉄骨梁の中心と一致する標準位置から室外側または室内側に一定距離移動させた位置にそれぞれランナーを固定することができる長さとなされたランナー固定金具を、間隔をおいて複数個取り付け、これらのランナー固定金具にわたって、鉄骨梁の中心と一致した標準位置あるいはこの標準位置から室外側または室内側に一定距離移動させた位置にランナーを固定する一方、水平部の一端に上方に向けて折曲された垂直部が形成され、他端には係止片が延設された固定金具を、ランナーの固定位置に合わせて床下地材および柱用断熱内壁下地パネルにそれぞれ間隔をおいて複数個固定し、ランナーに断熱内壁下地パネルの上端部を差し込んでその下端部背面もしくは下端部背面および側端部背面を固定金具の垂直部に当接させ、固定金具の係止片を折り返して断熱内壁下地パネルに固定することを特徴とするものである。
【００１０】
【発明の実施の形態】
以下、本発明の実施例の形態を図面に基づいて説明する。
【００１１】
図１乃至図４には、本発明の断熱内壁下地構造１が示されている。
【００１２】
この断熱内壁下地構造１は、鉄骨梁Ｈのフランジｈ１に間隔をおいて取り付けられた複数個のランナー固定金具２と、これらのランナー固定金具２にわたってビスを介して固定されたランナー３と、床材Ｆにビスを介して固定された固定金具４と、これらのランナー３および固定金具４によって外壁Ｗから一定距離離れた床材Ｆ上に建て込まれた断熱内壁下地パネル５と、柱Ｐに装着された柱用断熱内壁下地パネル６と、から構成されている。
【００１３】
まず、ランナー固定金具２は、鋼板を折り曲げて形成され、図５に示すように、取り付け部２１１、この取り付け部２１１の両側端から上方に向けて折曲された垂直部２１２およびこれらの垂直部２１２の上端から外方に向けて折曲された当接部２１３を備える断面逆ハット状の下地材２１と、この下地材２１の各垂直部２１２の一端縁に連続して形成され、鉄骨梁Ｈの下フランジｈ１の端縁に係合可能な係合部２２ａを有する係合片２２と、下地材２１の各当接部２１３の他端縁に連続して形成され、上方に向けて折曲された係止片２３と、からなり、係合片２２の係合部２２ａと係止片２３との間隔は、鉄骨梁Ｈの下フランジｈ１の幅に設定されている。
【００１４】
このランナー固定金具２を鉄骨梁Ｈに取り付けるには、まず、下地材２１の当接部２１３を鉄骨梁Ｈの下フランジｈ１の下面に当接させた状態で係合片２２の係合部２２ａを鉄骨梁Ｈの下フランジｈ１の外壁側端縁に係合させた後、係止片２３を折り返して鉄骨梁Ｈの下フランジｈ１の室内側端縁に係止すればよい（図６参照）。
【００１５】
一方、ランナー３は、後述する断熱内壁下地パネル５の上端部を差し込むことができるように、断面略コ字状に形成されている。そして、ランナー３は、基準位置から設定された距離をおいてランナー固定金具２の下地材２１の取り付け部２１１に付された墨出し線に合わせてビスを介して固定されるものである。この際、ランナー３は、その中心と鉄骨梁Ｈの中心とが一致する標準位置（図７（ａ）参照）あるいはランナー固定金具２の長さの範囲内においてその標準位置から室外側または室内側に一定距離移動させた位置（図７（ｂ），（ｃ）参照）にそれぞれ固定することができる。
【００１６】
また、固定金具４は、図８に示すように、断熱内壁下地パネル５の奥行きに相当する長さに形成された水平部４１および水平部４１の一端に上方に向けて折曲された垂直部４２によって断面Ｌ字状に折曲されており、水平部４１の他端には係止片４３が延設されている。そして、水平部４１および係止片４３には、それぞれ複数個のビス穴４１ａ，４３ａが形成されている。このように構成された固定金具４は、前述したランナー３の固定位置に合わせて床材Ｆに付された墨出し線に沿って固定されるものであり、その垂直部４２に断熱内壁下地パネル５の下端部背面が当接するようになっている。
【００１７】
なお、固定金具４は、図９に示すように、鉄骨柱Ｐに装着された後述する柱用断熱内壁下地パネル６にも固定されており、鉄骨柱Ｐに沿って建て込まれた断熱内壁下地パネル５の側端部背面を当接して支持するようになっている。この場合においても、固定金具４は、ランナー３の固定位置に合わせて柱用断熱内壁下地パネル６に付された墨出し線に沿って固定される。
【００１８】
さらに、断熱内壁下地パネル５は、縦桟および横桟によって矩形に枠組みされた木製枠材５１の各区画された空間内にロックールやグラスウールなどの断熱材５２を詰め込み、片面に防水防湿シート（図示せず）を貼着して形成されている。
【００１９】
また、柱用断熱内壁下地パネル６は、断熱内壁下地パネル５と同様に、縦桟および横桟によって矩形に枠組みされた木製枠材６１の各区画された空間内にロックールやグラスウールなどの断熱材６２を詰め込み、片面に防水防湿シート（図示せず）を貼着して形成されている。そして、この柱用断熱内壁下地パネル６は、一般部においては室内側に露出することになる鉄骨柱Ｐの隣接する三面に装着され（図１０（ａ）参照）、また、出隅部においては室内側に露出することになる鉄骨柱Ｐの隣接する二面に装着され（図１０（ｂ）参照）、さらに、入り隅部や中柱においては鉄骨柱Ｐの四面全てに装着されるものである（図１０（ｃ）参照）。この結果、鉄骨柱Ｐの室内側に露出する側面からの熱損失は確実に防止されることから、より高い断熱性能を確保することができる。
【００２０】
この場合、装着する鉄骨柱Ｐに合わせて柱用断熱内壁下地パネル６をＬ字状あるいはコ字状に組み立て、両面テープを介して鉄骨柱Ｐに被せて仮固定するようにしている（図１１参照）。
【００２１】
なお、床材Ｆは、ＡＬＣ（軽量気泡コンクリート）床ｆ１と、このＡＬＣ床ｆ１の上に防湿シート（図示せず）を介して順次敷設されたパーティクルボードｆ２および床板ｆ３から構成されている（図３参照）。
【００２２】
次に、このような断熱内壁下地構造１を形成するには、まず、柱用断熱内壁下地パネル６を装着する鉄骨柱Ｐに合わせてＬ字状あるいはコ字状に組み立て、両面テープを介して柱Ｐに被せて仮固定する。次いで、複数個のランナー固定金具２を一定間隔をおいて鉄骨梁Ｈの下フランジｈ１に取り付ける。すなわち、ランナー固定金具２の下地材２１の当接部２１３を鉄骨梁Ｈの下フランジｈ１の下面に当接させた状態で係合片２２の係合部２２ａを鉄骨梁Ｈの下フランジｈ１の外壁側端縁に係合させた後、係止片２３を鉄骨梁Ｈの下フランジｈ１の室内側端縁に折り返して係止する。
【００２３】
ランナー固定金具２が取り付けられたならば、ランナー固定金具２の下地材２１の取り付け部２１１に基準位置から設定された距離をおいて墨を打ち、その墨出し線に合わせてランナー３を配置し、ビスを介して固定する。さらに、ランナー３の固定位置に合わせて床材Ｆおよび柱用断熱内壁下地パネル６の横桟に墨を打ち、その墨出し線に合わせて一定間隔をおいて複数個の固定金具４をビスを介して固定する。この結果、ランナー３および固定金具４は、家を建築する際の基準位置から正確に距離をおいて位置決めされることになり、鉄骨梁Ｈを基準とする場合よりも精度を大幅に向上させることができる。
【００２４】
次いで、断熱内壁下地パネル５を把握し、その上端部をランナー３に差し込むとともに、その下端部背面を固定金具４の垂直部４２に当接させた後、固定金具４の係止片４３を上方に向けて折り返して断熱内壁下地パネル５の下端部表面に密着させ、ビスを介して固定する。この際、鉄骨柱Ｐに隣接して建て込む断熱内壁下地パネル５については、その下端部背面とともに側端部背面がそれぞれ床材Ｆに固定された固定金具４および柱用断熱内壁下地パネル６に固定された固定金具４に当接されて固定されるものである。このように、鉄骨柱Ｐに隣接して建て込まれた断熱内壁下地パネル５が固定されることにより、相互に柱用断熱内壁下地パネル６も固定されることになる。以下、同様に他の面についても断熱内壁下地パネル５を建て込んで区画する。
【００２５】
この際、外壁Ｗに窓を取り付けるための開口部が形成されている場合は、その開口部に合わせて開口部５ａ（図１参照）を有する断熱内壁下地パネル５から建て込む。そして、断熱内壁下地パネル５の建て込みが終了すれば、詳細には図示しないが、開口部５ａに窓額縁を嵌め込んで固定し、断熱内壁下地パネル５の開口部５ａと窓額縁の周囲との間に形成された空間に断熱材を詰め込む。その後、石膏ボードなどの内壁ボード７を取り付けた後、天井８を施工すればよい（図２および図３参照）。
【００２６】
【発明の効果】
以上のように本発明によれば、鉄骨柱からの熱損失を防止するとともに、断熱内壁下地パネルを部品点数を増やすことなく標準位置もしくは標準位置以外の他の位置に高精度に位置決めして建て込むことができる。
【図面の簡単な説明】
【図１】本発明の断熱内壁下地構造を示す説明図である。
【図２】本発明の断熱内壁下地構造を有する内壁の縦断面図である。
【図３】図２の内壁を一部省略して示す拡大図である。
【図４】本発明の断熱内壁下地構造を有する内壁を一部省略して示す横断面図である。
【図５】ランナー固定金具を示す斜視図である。
【図６】鉄骨梁、ランナー固定金具およびランナーの関係を示す斜視図である。
【図７】ランナー固定金具に対するランナーの固定位置を示す断面図である。
【図８】固定金具を示す斜視図である。
【図９】鉄骨柱に装着された柱用断熱内壁下地パネルに固定金具を固定して断熱内壁下地パネルを取り付ける場合の説明図である。
【図１０】鉄骨柱に装着した柱用断熱内壁下地パネルを示す横断面図である。
【図１１】鉄骨柱に柱用断熱内壁下地パネルを取り付ける場合の説明図である。
【符号の説明】
１  断熱内壁下地構造
２  ランナー固定金具
３  ランナー
４  固定金具
５  断熱内壁下地パネル
６  柱用断熱内壁下地パネル
Ｈ  鉄骨梁
ｈ１  下フランジ
Ｗ  外壁
Ｆ  床材
Ｐ  鉄骨柱
【図１】
0003580962.tif 000002
【図２】
0003580962.tif 000003
【図３】
0003580962.tif 000004
【図４】
0003580962.tif 000005
【図５】
0003580962.tif 000006
【図６】
0003580962.tif 000007
【図７】
0003580962.tif 000008
【図８】
0003580962.tif 000009
【図９】
0003580962.tif 000010
【図１０】
0003580962.tif 000011
【図１１】
0003580962.tif 000012